(57)【要約】      （修正有）【課題】簡易なハード構成を実現する上でより適切なカメラ認識用照射装置、カメラ認識用照射方法を提供する。【解決手段】カメラ認識用照射装置１は、カメラ２の撮像する被撮像対象を照射する複数の照明ＬＥＤ１〜３を含む照射手段３と、複数の照明ＬＥＤ１〜３のうち少なくとも一の照明を含む所定の組合せの照明ＬＥＤ１〜２を所定周期Ｔにおいて点灯及び滅灯させるとともに、複数の照明ＬＥＤ１〜３のうち所定の組合せの照明ＬＥＤ１〜２以外の照明ＬＥＤ３を、所定周期の二倍の周期で点灯及び滅灯させる点滅灯手段４ａを含む。【選択図】図１
2010145968.tif 000002
【特許請求の範囲】
【請求項１】
カメラの撮像する被撮像対象を照射する複数の照明を含む照射手段と、前記複数の照明のうち少なくとも一の照明を含む所定の組合せの照明を所定周期において点灯及び滅灯させるとともに、前記複数の照明のうち前記所定の組合せの照明以外の照明を、前記所定周期の二倍の二倍周期で点灯及び滅灯させる点滅灯手段を含むことを特徴とするカメラ認識用照射装置。
【請求項２】
カメラの撮像する被撮像対象を照射する複数の照明のうち少なくとも一の照明を含む所定の組合せの照明を所定周期において点灯及び滅灯させる第一点滅灯ステップと、前記複数の照明のうち前記所定の組合せの照明以外の照明を、前記所定周期の二倍の二倍周期で点灯及び滅灯させる第二点滅灯ステップを含むことを特徴とするカメラ認識用照射方法。
【発明の詳細な説明】
【技術分野】
【０００１】
本発明は、乗用車、トラック、バス等の車両に適用して好適な車載カメラを含むカメラの被撮像対象の認識に用いられるカメラ認識用照射装置、カメラ認識用照射方法に関する。
【背景技術】
【０００２】
近年の車両においては、運転者の駐車に係わる操作を支援するためのＩＰＡ（Intelligent  Parking  Assist）や、車両の後方の画像を運転者が前方を向いたままで視認可能とするＢＭ（Back  Monitor）、高速道路や自動車専用道路において車線の中央を維持して走行するように操舵支援を行うＬＫＡ（Lane  Keep  Assist）等の運転者を支援するためのシステムが車両に搭載されることがあり、このようなシステムにおいては、車両に搭載されたＣＣＤカメラ又はＣＭＯＳカメラに代表される車載カメラにより撮像した、車両の周辺の画像データを用いて、路面の車線の両側に位置する白線等の被検出対象を二値化処理等により検出する等の処理が行われる。
【０００３】
このような車載カメラにより車外の画像を撮像することに加えて、運転者の顔を撮像する車載カメラを更に備えて、撮像された顔の画像データに基づいて、例えば特許文献１に記載されているような認識手法に基づいて、運転者の顔を認識して、運転者が予め登録された運転者であるか否かの照合を行うこと、運転者の顔が指向する方向に基づいて適宜運転者に警報を行うこと等の運転者の保安性や利便性をより高める支援制御を行うことが提案されている。
【特許文献１】特開２００７−２６２１３号公報
【発明の開示】
【発明が解決しようとする課題】
【０００４】
ところが、このような特許文献１に記載の認識手法においては、一回目の認識に失敗した場合に、二回目以降において閃光装置の照射する光の照射特性、例えば、発光量を周期的かつ段階的に増加させて、二回目以降の認識の可能性を高める試みがなされているが、発光量を具体的にどのように増加する形態が、より簡易なハード構成を実現する上で好ましいかについては開示されておらず、より適切な照射装置及び照射方法を提供できていないという問題が生じる。
【０００５】
本発明は、上記問題に鑑み、簡易なハード構成を実現する上でより適切なカメラ認識用照射装置、カメラ認識用照射方法を提供することを目的とする。
【課題を解決するための手段】
【０００６】
上記の問題を解決するため、本発明に係るカメラ認識用照射装置は、
カメラの撮像する被撮像対象を照射する複数の照明を含む照射手段と、
前記複数の照明のうち少なくとも一の照明を含む所定の組合せの照明を所定周期において点灯及び滅灯させるとともに、
前記複数の照明のうち前記所定の組合せの照明以外の照明を、前記所定周期の二倍の二倍周期で点灯及び滅灯させる点滅灯手段を、
含むことを特徴とする。
【０００７】
ここで、前記複数とは二以上の整数であり、前記カメラを用いての前記被撮像対象の認識を行うにあたって、前記照射手段の含む前記複数の照明の照射する光が合成された合成光の照射強度を段階的に選択するにあたっての段階をなるべく多い段階として選択肢を広げる要請と、前記照射手段をなるべく簡易なものとする要請のバランスを考慮して三とすることが好ましい。また、前記少なくとも一に該当する整数は二とすることが好ましい。なお、前記被撮像対象とは典型的には運転者の顔である。
【０００８】
また、前記所定の組合せの照明を所定周期において交互に点灯及び滅灯させるにあたって用いられる前記所定周期と、前記所定の組合せの照明以外の照明を交互に点灯及び滅灯させるにあたっての前記所定周期の二倍の二倍周期は、例えばクロックと二段階のフリップフロップにより実現される分周回路を用いて、又はクロックと二段階の分周回路をＥＣＵ（Electronic  Control  Unit）上で実現したものにより、実現することができる。前記所定周期の立ち上がりエッジと、前記所定の周期の二倍の二倍周期の立ち上がりエッジは同期させるものとする。
【０００９】
本発明に係わる前記カメラ認識用照射装置によれば、前記照射手段の含む複数の照明のうち前記所定の組合せの照明を所定周期にて点滅灯させ、前記複数の照明のうち前記所定の組合せの照明以外の照明を前記所定周期の二倍の二倍周期で点滅灯させることにより、前記所定周期の二倍の周期の更に二倍の四倍周期である制御周期における前記照射強度を、第一の前記所定周期においては最高段階、第二の前記所定周期においては低中間段階、第三の前記所定周期においては高中間段階、第四の前記所定周期においては、最低段階の四段階とすることができる。
【００１０】
つまり、前記合成光の照射強度を四段階として選択肢を広くすることを実現するとともに、前記所定周期と前記二倍周期の双方を、前記クロック及び前記二段階のフリップフロップにより実現することができ、ハード構成をより簡易なものとすることができる。さらに、一の前記制御周期内において、前記四段階の照射強度のそれぞれを重複することなく周期的に実現することができるので、前記制御周期をなるべく短いものとして、前記カメラの認識にあたっての工数をなるべく削減することができる。
【００１１】
あるいは、上記の課題を解決するため、本発明に係わるカメラ認識用照射方法は、
カメラの撮像する被撮像対象を照射する複数の照明のうち少なくとも一の照明を含む所定の組合せの照明を所定周期において点灯及び滅灯させる第一点滅灯ステップと、
前記複数の照明のうち前記所定の組合せの照明以外の照明を、前記所定周期の二倍の二倍周期で点灯及び滅灯させる第二点滅灯ステップを、
含むことを特徴とする。
【００１２】
本発明のカメラ認識用照射方法によれば、前記第一点滅灯ステップにおいて、前記複数の照明のうち前記所定の組合せの照明を所定周期にて点滅灯させ、前記複数の照明のうち前記所定の組合せの照明以外の照明を前記所定周期の二倍の二倍周期で点滅灯させることに基づいて、前記所定周期の二倍の周期の更に二倍の四倍周期となる制御周期における前記照射強度を、第一の所定周期においては最高段階、第二の所定周期においては低中間段階、第三の所定周期においては高中間段階、第四の所定周期においては最低段階として、四段階の照射強度を一の前記制御周期内において連続的かつ段階的に実現することができる。
【００１３】
すなわち、前記被撮像対象に照射される前記合成光の照射強度を四段階として、前記カメラの前記被撮像対象の認識にあたって前記照射強度を選択するにあたっての選択肢をより広くすることができる。さらに、一の前記制御周期内において、前記四段階の照射強度のそれぞれを重複することなく周期的に実現することができるので、前記制御周期をなるべく短いものとして、前記カメラの認識にあたっての工数をなるべく削減することができる。
【００１４】
これとともに、前記所定周期と前記二倍周期のいずれも周期も、前記クロック及び前記二段階のフリップフロップという周知のより簡略的な回路により実現することができ、例えばＥＣＵ等の含むハード構成をより簡易なものとすることができる。
【発明の効果】
【００１５】
本発明によれば、簡易なハード構成を実現する上でより適切なカメラ認識用照射装置、カメラ認識用照射方法を提供することができる。
【発明を実施するための最良の形態】
【００１６】
以下、本発明を実施するための最良の形態について、添付図面を参照しながら説明する。
【実施例】
【００１７】
図１は、本発明に係わるカメラ認識用照射装置の一実施形態を示す模式図であり、図２は、本発明に係わるカメラ認識用照射装置の一実施形態により実現される機能ブロックを示す模式図である。図３は、本発明に係わるカメラ認識用照射装置の一実施形態により実現される機能ブロックの出力形態を示す模式図である。図４は、本発明に係わるカメラ認識用照射装置の一実施形態により実現される照射パターンを示す模式図である。
【００１８】
本実施例のカメラ認識用照射装置１は、図１に示すように、顔カメラ２と、ＬＥＤユニット３と、車載カメラＥＣＵ４（Electronic  Control  Unit）と、を備えて構成される。
【００１９】
顔カメラ２は、例えばＣＣＤカメラまたはＣＭＯＳカメラであって、車両後方かつ運転席に着座した運転者の顔を指向するように車両のウィンドシールドやルーフ下面又はフロントパネルに設置されており、運転者の顔を含む撮像範囲を撮像して、撮像された画像データを車載カメラＥＣＵ４に出力するものである。顔カメラ２は本発明のカメラを構成するものである。
【００２０】
ＬＥＤユニット３は、ＬＥＤ（Light  Emitting  Diode：発光ダイオード）により構成される照明ＬＥＤ１、照明ＬＥＤ２、照明ＬＥＤ３を一のケーシング内に含む。ＬＥＤユニット３は、照明ＬＥＤ１〜ＬＥＤ３により発光された個々の光及び個々の光を含む合成光が、車両後方かつ運転席に着座した運転者の顔を指向するように車両のウィンドシールドやルーフ下面又はフロントパネルに設置されており、運転者の顔を含む範囲を照射する。ＬＥＤユニット３は本発明の照射手段を構成し、照明ＬＥＤ１〜ＬＥＤ３は本発明の照明を構成する。
【００２１】
車載カメラＥＣＵ４は、例えばＣＰＵ、ＲＯＭ、ＲＡＭ、ＥＥＰＲＯＭおよびそれらを相互に接続するデータバスと入出力インターフェースから構成され、ＲＯＭに格納されたプログラムに従い、以下に述べるそれぞれの制御を行う点滅灯手段４ａ、認識手段４ｂとして機能するものである。車載カメラＥＣＵ４の点滅灯手段４ａは、本発明の点滅灯手段を構成する。
【００２２】
車載カメラＥＣＵ４の点滅灯手段４ａは、ＬＥＤユニット３を制御して、三つの照明ＬＥＤ１〜ＬＥＤ３のうち二の照明である照明ＬＥＤ１及びＬＥＤ２を所定周期Ｔにおいて交互に点灯及び滅灯させるとともに、三つの照明ＬＥＤ１〜ＬＥＤ３のうち照明ＬＥＤ１及びＬＥＤ２以外の照明ＬＥＤ３を、所定周期Ｔの二倍の二倍周期２Ｔで交互に点灯及び滅灯させ、所定周期Ｔと二倍周期２Ｔの開始時間は同期させる。
【００２３】
ここで、点滅灯手段４ａは、図２に示すようにクロックと、二段階のＴフリップフロップ回路により実現される分周回路を含むことにより構成され、出力波形は図３に示すようなものとなり、照明ＬＥＤ１及び照明ＬＥＤ２に対しては前段のＴフリップフロップの反転Ｑ１を出力し、照明ＬＥＤ３に対しては後段のＴフリップフロップのＱ２を出力する。なお、図２及び図３におけるオーバーバーは反転を意味する。
【００２４】
この点滅灯手段４ａの制御に基づいて、ＬＥＤユニット３は、図４に示すように一の制御周期４Ｔの最初の所定周期Ｔにおいて、照明ＬＥＤ１〜ＬＥＤ３の全てを点灯して点灯数を三つとし、次の所定周期Ｔにおいて、照明ＬＥＤ３を点灯して点灯数を一つとし、更に次の所定周期Ｔにおいて、照明ＬＥＤ１及び照明ＬＥＤ２を点灯して点灯数を二つとし、最後の所定周期Ｔにおいて、照明ＬＥＤ１〜照明ＬＥＤ３の全てを滅灯させて点灯数をゼロとする。
【００２５】
これに基づいて、所定周期Ｔの四倍の制御周期４Ｔの間において、照明ＬＥＤ１、照明ＬＥＤ２、照明ＬＥＤ３の照射する個々の光の合成光の照射強度を、最初の所定周期Ｔにおいて最高段階Ｂ３、二番目の所定周期Ｔにおいて低中間段階Ｂ１、三番目の所定周期Ｔにおいて高中間段階Ｂ２、四番目の所定周期Ｔにおいて最低段階Ｂ０となるように順番に変化させる。
【００２６】
車載カメラＥＣＵ４の認識手段４ｂは、点滅灯手段４ａにより発生されるＬＥＤユニット３の個々の照明ＬＥＤ１〜ＬＥＤ３の発生する個々の光又は個々の光の合成光により照射された、運転者の顔を含む撮像範囲を顔カメラ２が撮像した画像データを取得して、画像データを輝度差分処理すなわちコントラスト処理を行うことにより、運転者の顔を認識する。
【００２７】
この認識処理において、車載カメラＥＣＵ４の認識手段４ｂは、最初に、点滅灯手段４ａの制御に基づいてＬＥＤユニット３の照射する合成光の照射強度が最高段階Ｂ３である、制御周期４Ｔ中の最初の所定周期Ｔにおいて取得した画像データＤ３と、照射強度が最低段階Ｂ０である最後の所定周期Ｔにおいて取得した画像データＤ０に基づいて、運転者の顔を認識する。
【００２８】
画像カメラＥＣＵ４の認識手段４ｂは、画像データＤ３と画像データＤ０に基づいた認識が成功した場合は顔認識処理を終了し、成功しなかった場合には、合成光の照射強度が高中間段階Ｂ２である制御周期４Ｔ中の三番目の所定周期Ｔにおいて取得した画像データＤ２と、照射強度が最低段階Ｂ０である最後の所定周期Ｔにおいて取得した画像データＤ０に基づいて、運転者の顔を認識する。
【００２９】
画像カメラＥＣＵ４の認識手段４ｂは、画像データＤ２と画像データＤ０に基づいた認識が成功した場合は顔認識処理を終了し、成功しなかった場合には、合成光の照射強度が低中間段階Ｂ１である制御周期４Ｔ中の二番目の所定周期Ｔにおいて取得した画像データＤ１と、照射強度が最低段階Ｂ０である最後の所定周期Ｔにおいて取得した画像データＤ０に基づいて、運転者の顔を認識する。
【００３０】
以下に以上述べた本実施例のカメラ認識用照射装置１の制御内容を、フローチャートを用いて説明する。図５は、本発明に係わるカメラ認識用照射装置１の制御内容を示すフローチャートである。
【００３１】
図５に示すように、ステップＳ１において、車載カメラＥＣＵ４の点滅灯手段４ａは、ＬＥＤユニット３を制御して、照明ＬＥＤ１及び照明ＬＥＤ２を所定周期Ｔにおいて交互に点灯及び滅灯し、照明ＬＥＤ３を所定周期Ｔの二倍の二倍周期２Ｔにおいて交互に点灯及び滅灯し、所定周期Ｔの開始時間すなわち立ち上がりエッジと、二倍周期２Ｔの開始時間すなわち立ち上がりエッジを同期させる点滅灯制御を行う。
【００３２】
つづいてステップＳ２において、顔カメラ２はＬＥＤユニット３により照射された運転者の顔を含む撮像範囲を撮像して、撮像した画像データＤ３〜Ｄ０を車載カメラＥＣＵ４の認識手段４ｂが取得し、ステップＳ３において、車載カメラＥＣＵ４の認識手段４ｂは制御周期４Ｔ内の最初の所定周期Ｔにおいて取得した画像データＤ３と最後の所定周期Ｔにおいて取得した画像データＤ０について輝度差分処理を行うことにより運転者の顔認識を行う。
【００３３】
ステップＳ４において、車載カメラＥＣＵ４の認識手段４ｂはステップＳ２における顔認識処理が成功したか否かを判定し、肯定である場合にはＥＮＤにすすんで制御を終了し、否定である場合には、ステップＳ５にすすむ。
【００３４】
ステップＳ５において、車載カメラＥＣＵ４の認識手段４ｂは、制御周期４Ｔ内の三番目の所定周期Ｔにおいて取得した画像データＤ２と最後の所定周期Ｔにおいて取得した画像データＤ０について輝度差分処理を行うことにより運転者の顔認識を行う。
【００３５】
ステップＳ６において、車載カメラＥＣＵ４の認識手段４ｂはステップＳ５における顔認識処理が成功したか否かを判定し、肯定である場合にはＥＮＤにすすんで制御を終了し、否定である場合には、ステップＳ７にすすむ。
【００３６】
ステップＳ７において、車載カメラＥＣＵ４の認識手段４ｂは、制御周期４Ｔ内の二番目の所定周期Ｔにおいて取得した画像データＤ１と最後の所定周期Ｔにおいて取得した画像データＤ０について輝度差分処理を行うことにより運転者の顔認識を行う。
【００３７】
以上述べた図７に示したフローチャートにおいて、本発明に係わるカメラ認識用照射方法の第一照射ステップと、第二照射ステップが平行して同時に実行される。
【００３８】
これらの制御内容により実現される本実施例のカメラ認識用照射装置１及びそれにより実行されるカメラ認識用照射方法によれば、以下のような作用効果を得ることができる。以下にこの作用効果を、従来技術との比較に基づいて説明する。図６〜図８は、従来のカメラ認識用照射装置による照射パターンを示す模式図である。
【００３９】
すなわち、ＬＥＤユニット３により照射される合成光の照射強度を最高段階Ｂ３から最低段階Ｂ０までの四段階として選択肢を広くすることを実現するとともに、所定周期Ｔと二倍周期２Ｔの双方を、図２に示すようなクロック及び二段階のＴフリップフロップにより実現することができ、車載カメラＥＣＵ４の点滅灯手段４ａのハード構成をより簡易なものとすることができる。
【００４０】
加えて、一の制御周期４Ｔ内において、四段階の照射強度の最高段階Ｂ３、高中間段階Ｂ２、低中間段階Ｂ２、最低段階Ｂ０のそれぞれを重複することなく周期的に実現することができるので、制御周期４Ｔをなるべく短いものとして、顔カメラ２を用いた運転者の顔の顔認識にあたっての工数及び処理時間をなるべく削減することができる。
【００４１】
なお、従来技術においては、照明ＬＥＤ１〜３のそれぞれを独立した三種類の分周回路により、照明ＬＥＤ１を所定周期Ｔにおいて点滅灯させ、照明ＬＥＤ２を二倍周期２Ｔにおいて点滅灯させ、照明ＬＥＤ３を四倍周期４Ｔにおいて点滅灯させて図６に示すように、時系列的に点灯数を三、二、二、一、二、一、一、ゼロと変化させて照射強度を四段階に変化させることとしていた。
【００４２】
ところが、このような従来技術においては一の制御周期において点灯数が二である所定周期Ｔが三回重複して現れ、点灯数が一である所定周期Ｔが三回重複して現れるため、一の制御周期が所定周期Ｔの八倍の８Ｔとなり、顔カメラ２を用いた運転者の顔認識にあたっての照射工程の工数及び処理時間の長大化を招いていた。本実施例のカメラ認識用照射装置１及びカメラ認識用照射方法によれば、同じ照射強度を実現する所定周期Ｔが一の制御周期中に重複して現れることを防止できるので、工数及び処理時間ともに短縮することができる。
【００４３】
また、このような従来技術においては、照明ＬＥＤ１〜３を、照明ＬＥＤ１〜３のそれぞれに対して独立させた三種類の分周回路により駆動する必要が生じていたが、本実施例によれば照明ＬＥＤ１及び照明ＬＥＤ２については同一の分周回路の出力により駆動すればよく、部品点数の増大と構造の複雑化を招くことを防止して、より簡易なハード構成とすることができる。
【００４４】
また、他の従来技術においては、照明ＬＥＤ１〜３のそれぞれを三ビットのカウンタを用いて点滅灯させ、照明ＬＥＤ１を所定周期Ｔにおいて点滅灯させ、照明ＬＥＤ２を二倍周期２Ｔにおいて点滅灯させ、照明ＬＥＤ１の滅灯のタイミングと照明ＬＥＤ２の点灯のタイミングを同期させ、照明ＬＥＤ３を所定周期Ｔの四倍周期４Ｔにおいて点滅灯させて、照明ＬＥＤ２の滅灯のタイミングと照明ＬＥＤ３の点灯のタイミングを同期させて、図７に示すように、時系列的に点灯数を一、一、二、一、二、二、三、ゼロと変化させて照射強度を四段階に変化させることとしていた。
【００４５】
このような他の従来技術においても一の制御周期において点灯数が二である所定周期Ｔが三回重複して現れ、点灯数が一である所定周期Ｔが三回重複して現れるため、一の制御周期が所定周期Ｔの八倍の８Ｔとなり、顔カメラ２を用いた運転者の顔認識にあたっての照射工程の工数及び処理時間の長大化を招いていた。本実施例のカメラ認識用照射装置１及びカメラ認識用照射方法によれば、同じ照射強度を実現する所定周期Ｔが一の制御周期中に重複して現れることを防止できるので、工数及び処理時間ともに短縮することができる。
【００４６】
また、他の従来技術においては、照明ＬＥＤ１〜３のそれぞれを点灯時間毎のデューティ比を定めて順次点滅灯させ、照明ＬＥＤ１を三倍周期３Ｔにおいて点灯させ所定周期Ｔにおいて滅灯させ、照明ＬＥＤ２を二倍周期２Ｔにおいて点滅灯させ、照明ＬＥＤ３を所定周期Ｔにおいて点灯させ三倍周期３Ｔにおいて滅灯させて、照明ＬＥＤ１〜３の滅灯のタイミングを同期させ、照明ＬＥＤ３を所定周期Ｔの四倍周期４Ｔにおいて点滅灯させて、照明ＬＥＤ２の滅灯のタイミングと照明ＬＥＤ３の点灯のタイミングを同期させて、図７に示すように、時系列的に点灯数を一、二、三、ゼロと変化させて照射強度を四段階に変化させることとしていた。
【００４７】
このような従来技術においては、同じ点灯数の所定周期Ｔが制御周期４Ｔ中に発生することは防止できるが、点灯時間毎のデューティ比を定めて順次点滅灯させるための点滅灯回路が複雑化するという問題が生じるが、本実施例のカメラ認識用照射装置１及びカメラ認識用照射方法によれば、点滅灯回路の複雑化を招くことをも防止することができる。
【００４８】
さらに、図４に示したフローチャートにおいて説明したように、ステップＳ３においてまず最高段階Ｂ３の照射強度において取得した画像データＤ３と、最低段階Ｂ０の照射強度において取得した画像データＤ０に基づいて輝度差分処理を行い、このステップＳ３における最初の輝度差分処理が成功しなかった場合に、ステップＳ５において、高中間段階Ｂ２の照射強度において取得した画像データＤ２と、最低段階Ｂ０の照射強度において取得した画像データＤ０に基づいて輝度差分処理を行うことにより、以下のような有利な作用効果が得られる。
【００４９】
そもそもＬＥＤユニット３による照射は、昼間において強い太陽光が運転者の顔に照射されている場合に、輝度差分処理を確実に行うために実行されるものであるが、ＬＥＤユニット３により照射される合成光が強すぎる場合には、かえって、輝度差分処理が成功しない場合があるが、最高段階Ｂ３の照射強度において取得した画像データＤ３に基づく輝度差分処理が成功しない場合には、次の照射強度である高中間段階Ｂ２の照射強度において取得した画像データＤ２に基づく輝度差分処理を実行することとして、輝度差分処理の成功の確実性を高めることができる。
【００５０】
さらに、高中間段階Ｂ２の照射強度において取得した画像データＤ２に基づく輝度差分処理が成功しない場合には、次の照射強度である低中間段階Ｂ１の照射強度において取得した画像データＤ１に基づく輝度差分処理を実行することとして、輝度差分処理の成功の確実性をより高めることができる。
【００５１】
以上本発明の好ましい実施例について詳細に説明したが、本発明は上述した実施例に制限されることなく、本発明の範囲を逸脱することなく、上述した実施例に種々の変形および置換を加えることができる。
【産業上の利用可能性】
【００５２】
本発明によれば、簡易なハード構成を実現する上でより適切なカメラ認識用照射装置、カメラ認識用照射方法を提供することができるので、本発明は乗用車、トラック、バス等の様々な車両に適用して有益なものである。
【図面の簡単な説明】
【００５３】
【図１】本発明に係わるカメラ認識用照射装置の一実施形態を示す模式図である。
【図２】本発明に係わるカメラ認識用照射装置の一実施形態の実現する機能ブロックを示す模式図である。
【図３】本発明に係わるカメラ認識用照射装置の一実施形態の実現する機能ブロックの出力態様を示す模式図である。
【図４】本発明に係わるカメラ認識用照射装置の一実施形態の制御内容を示すフローチャートである。
【図５】本発明に係わるカメラ認識用照射装置の一実施形態の出力結果を示す模式図である。
【図６】従来技術におけるカメラ認識用照射装置の一実施形態の出力結果を示す模式図である。
【図７】従来技術におけるカメラ認識用照射装置の一実施形態の出力結果を示す模式図である。
【図８】従来技術におけるカメラ認識用照射装置の一実施形態の出力結果を示す模式図である。
【符号の説明】
【００５４】
１        カメラ認識用照射装置
２        顔カメラ（カメラ）
３        ＬＥＤユニット（照射手段）
ＬＥＤ１  照明
ＬＥＤ２  照明
ＬＥＤ３  照明
４        車載カメラＥＣＵ
４ａ      点滅灯手段
４ｂ      認識手段
Ｔ        所定周期
２Ｔ      二倍周期
４Ｔ      制御周期
【図１】
2010145968.tif 000003
【図２】
2010145968.tif 000004
【図３】
2010145968.tif 000005
【図４】
2010145968.tif 000006
【図５】
2010145968.tif 000007
【図６】
2010145968.tif 000008
【図７】
2010145968.tif 000009
【図８】
2010145968.tif 000010